(57)【特許請求の範囲】
【請求項１】
回動ドアーの遊端下部に取り付けられ且つ下面に磁石を備えた吸着面を有するボデイと、床面に取り付けられ且つ枢軸部を介して水平な倒伏姿勢から傾斜姿勢まで回動できるように保持された磁性材製の回動舌片を備えた基体とから成り、回動ドアーが所定の開き位置にきたときに前記回動舌片が磁石に吸引されて引き上げられて吸着面に吸着するようにした戸当たりであって、前記回動舌片の枢軸部が回動舌片の基端部両側から突出した状態で一体的に形成され、前記基体は回動舌片が出没する開口部を備えた台盤と、該台盤の下面に下方から嵌め込まれた受板とを含み、該受板に形成した枢軸受溝に前記回動舌片の枢軸部を回動可能に嵌め込んだ状態で受板を台盤に下面から嵌め込むことにより前記枢軸部の上方が前記台盤によって閉塞されており、更に前記回動舌片が所定の傾斜角度まで立ち上がった時に回動舌片の根本部上面に当接して立ち上がり角度を規制するストッパーが前記基体に設けられている戸当たり。
【請求項２】
前記ストッパーが基体の受板に設けられている請求項１に記載の戸当たり。
【請求項３】
前記ストッパーが台盤の開口部の一縁部分を延設して形成されている請求項１に記載の戸当たり。
【請求項４】
回動舌片の下面を受けて該回動舌片を水平な倒伏姿勢に保持すると共に回動舌片と受板との間に隙間を形成する突起が前記受板に突出形成されている請求項１乃至３のいずれか１項に記載の戸当たり。
【発明の詳細な説明】
【０００１】
【発明が属する技術分野】
本発明は、所定の開き位置でドアーを停止保持させる戸当たりに関するものである。
【０００２】
【従来の技術】
従来、ドアーを開放したときに床面に埋め込んだ回動舌片が磁石に吸着されて立ち上がり、ドアーを停止させる戸当たりとして種々のものが提案されているが、多くの場合、例えば特開２０００−８０８５４号公報に示すように、金属板材からなる回動舌片（１２）の一端部を筒状に巻いてこの巻管部分に別に設けた支軸（１５）を差し込み、左右に突出した支軸を基盤（１）に保持させた構造となっている。
【０００３】
【発明が解決しようとする課題】
このような従来手段では、金属板材の一端部を筒状に形成する加工、並びに支軸を巻管部分に挿入する作業が面倒であると共に、巻管部分の肉厚が大きくなってなってこれを収納する基盤が厚くなり、その結果、床面からの出代（突出部分）が多くなって足の指先を引っかけるといった欠点がある。また、従来では、回動舌片を基盤から遊離しないように組み付ける構造も複雑で組み付け作業も面倒であった。
【０００４】
そこで本発明は、上記の従来欠点を解消し、簡単な構造で容易に組み付けることのできる戸当たりを低コストで提供することを主たる目的とするものである。
【０００５】
【課題を解決するための手段】
上記目的を達成する為に本発明では次のような技術的手段を講じた。即ち、本発明にかかる戸当たりにあっては、回動ドアーの遊端下部に取り付けられ且つ下面に磁石を備えた吸着面を有するボデイと、床面に取り付けられ且つ枢軸部を介して水平な倒伏姿勢から傾斜姿勢まで回動できるように保持された磁性材製の回動舌片を備えた基体とから成り、回動ドアーが所定の開き位置にきたときに前記回動舌片が磁石に吸引されて引き上げられて吸着面に吸着するようにした戸当たりであって、前記回動舌片の枢軸部が回動舌片の基端部両側から突出した状態で一体的に形成され、前記基体は回動舌片が出没する開口部を備えた台盤と、該台盤の下面に下方から嵌め込まれた受板とを含み、該受板に形成した枢軸受溝に前記回動舌片の枢軸部が回動可能に嵌め込まれ、該枢軸部の上方が前記台盤によって閉塞されており、更に前記回動舌片が所定の傾斜角度まで立ち上がった時に回動舌片の根本部上面に当接して立ち上がり角度を規制するストッパーが前記基体に設けられている構造とした。
【０００６】
前記ストッパーは基体の受板に形成するのが好ましいが、台盤の開口部の一縁を延設して回動舌片の根本部上面に当接するストッパーとしてもよい。
【０００７】
また、回動舌片の下面を受けて該回動舌片を水平な倒伏姿勢に保持すると共に回動舌片と受板との間に隙間を形成する突起を前記受板に突出形成するのがよい。この突起によって水平な倒伏姿勢にある回動舌片と受板との間に間隙が確保され、塊屑等が回動舌片の下方に入り込んだときにこの間隙に落ち込んで回動舌片が浮き上がった姿勢になることを未然に防止することができる。
【０００８】
【発明の実施の形態】
図１〜図６は本発明の実施例を示すものであって、回動ドアーＣの遊端下部の前面に取り付けられるボデイＡと、床面Ｄの所定位置に取り付けられる基体Ｂとからなる。
【０００９】
前記ボデイＡは、下面に磁石１を有する吸着面２を備えている。また前記基体Ｂは、枢軸部３を介して水平な倒伏姿勢から上方に向かって所定の傾斜姿勢まで回動可能に保持された鉄等の磁性板材からなる略長方形状の回動舌片４を備えている。そして回動ドアーＣが図５の位置から更に進んで図６の所定の開き位置にきたときに前記回動舌片４が磁石１に吸引されて引き上げられて吸着面２に吸着係合するように形成されている。
【００１０】
更に、前記回動舌片４の枢軸部３が回動舌片４の基端部両側から突出した状態で一体的に形成されている。これは板素材をプレスで打ち抜いたときに容易に同時形成することができる。
【００１１】
また、前記基体Ｂは回動舌片４が出没する開口部５を備えた台盤６と、該台盤６の下面に下方から嵌め込まれた受板７とを含む。該受板７には前記回動舌片４の枢軸部３、３を回動自在に受け入れる枢軸受溝８、８が設けられている。この枢軸受溝８，８に枢軸部３、３が嵌め込まれ、枢軸部３、３の上方が図４に示すように前記台盤６によって閉塞されており、これにより回動舌片４が基体Ｂから遊離することが阻止されている。
【００１２】
更に前記回動舌片４が所定の傾斜角度まで立ち上がった時に回動舌片４の根本部上面に当接して立ち上がり角度を規制するストッパー９が前記基体Ｂの受板７に設けられている。
【００１３】
また、回動舌片４の下面を受けて該回動舌片４を水平な倒伏姿勢に保持するピン状の突起１２が前記受板７に突出形成されている。この突起によって水平な倒伏姿勢にある回動舌片４と受板７との間に間隙１３が確保される。この間隙１３は次のような効果を発揮する。即ち、回動舌片４が磁石に吸着されて上方に回動している間に小さな塊屑等が回動舌片４の下方に入り込んだ場合、前記間隙１３がないと、磁石との吸着が解除されて回動舌片４が元の水平姿勢に復帰するときに塊屑によって浮き上がった姿勢になり、足指先を引っかける等の弊害が生じるが、前記隙間１３の存在によって塊屑が該隙間１３に吸収され、回動舌片４の水平な傾倒姿勢を保持することができるものである。
【００１４】
上記の如く構成された戸当たりにあっては、回動舌片４の枢軸部３を受板７の枢軸受溝８に嵌めこんだ状態で受板７を台盤６に下面から嵌め込み、その状態で台盤６をネジ挿入孔１０…を介して木ネジ１１を床面Ｄに螺入することにより簡単に基体Ｂを床面Ｄに取り付けることができる。取り付けられた状態において、回動舌片４の枢軸部３は枢軸受溝８内にあってその上方が図４に示すように台盤６によって閉塞されているので台盤６から遊離することがない。また枢軸部３は回動舌片４と一体的に形成されているものであるから製作が容易であり、かつ枢軸部３が回動舌片４と同じ板厚で形成できるから、これを収納する台盤６の総厚みを薄く形成できる。また、回動舌片４の立ち上がり角度はストッパー９によって所定の傾斜角度で規制されているので、回動舌片４が掃除機の吸引力によって図５の状態から左方に大きく反転することが未然に防止される。
【００１５】
尚、上記実施例ではストッパー９が基体Ｂの受板７に設けたが、これに代えて台盤６の開口部５の一縁部分５’を延設して回動舌片４の根本部上面に当接するストッパーとしてもよい。
【００１６】
以上本発明の代表的と思われる実施例について説明したが、本発明は必ずしもこれらの実施例構造のみに限定されるものではなく、上記した本発明の構成要件を備え、かつ本発明の目的を達成し、下記の効果を奏する範囲内において適宜改変して実施できるものである。
【００１７】
【発明の効果】
本発明は上記の如く構成したものであるから、回動舌片と枢軸部とが一体構造であり、しかも受板を台盤に嵌め込むことによって回動舌片の枢軸部を受板と台盤との間に挟み込んで保持する構造としたから、簡単に且つ確実に回動舌片を台盤に組み込むことができ、これにより従来に比べ低コストで製作することができる。加えて、回動舌片の立ち上がり角度がストッパーによって所定の傾斜角度で規制されているので、回動舌片が掃除機の吸引力等によって大きく反転することを未然に防止できる、といった効果がある。
【図面の簡単な説明】
【図１】本発明に係る戸当たりの分解斜視図。
【図２】上記戸当たりの基体部分の組立斜視図。
【図３】図２におけるａ−ａ線に沿った断面図。
【図４】図２におけるｂ−ｂ線に沿った断面図。
【図５】上記戸当たりを取り付けた状態を示す断面図。
【図６】上記戸当たりの作動を示す断面図。
【符号の説明】
Ａ  ボデイ
Ｂ  基体
Ｃ  扉
Ｄ  床面
１  磁石
２  吸着面
３  枢軸部
４  回動舌片
５  開口部
６  台盤
７  受板
８  枢軸受溝
９  ストッパー
１２  突起
１３  間隙
【図１】
0003616959.tif 000002
【図２】
0003616959.tif 000003
【図３】
0003616959.tif 000004
【図４】
0003616959.tif 000005
【図５】
0003616959.tif 000006
【図６】
0003616959.tif 000007